(57)【要約】【課題】スポーツ用シャツやスポーツ用アンダーシャツに外旋機能、内旋機能並びに回外機能、回内機能を持たせることにより、それぞれのスポーツにおける身体の動きに適応した運動のしやすいスポーツ用シャツウェアを提供する。【解決手段】  身頃部と腕部とから成る上衣であって、前記腕部の構成は、首部近傍から肩部、並びにひじ部を経由して手首近傍に至るまでの間を、スパイラル状に裁断され裁ち目を正布位置として長手方向にとった複数の裁断片から成り、該複数の裁断片は、全体を強い伸度を有するストレッチ生地素材により構成してストレッチ部を形成し、該ストレッチ部を形成する複数の裁断片を腕部外側から内側に向け斜め下方に捲回し、前記各裁断片を互いに固着し腕部を一体化したのち前記身頃部と固着して、上肢に外旋機能、並びに回外機能を持たせる。【選択図】図３ａ
2008169501.tif 000002
【特許請求の範囲】
【請求項１】
身頃部と腕部とから成る上衣であって、
前記腕部は、首部近傍から肩部を経由し腋下部と肘部との略中間位置乃至肘部近傍に至るまでの間を、スパイラル状に裁断され裁ち目を正布位置として長手方向にとった一つまたは複数の裁断片から成り、
該一つまたは複数の裁断片は、全体を強い伸度を有するストレッチ生地素材によりストレッチ部を形成し、
該ストレッチ部を形成する一つまたは複数の裁断片を前面側から見て腕部外側から内側に向け斜め下方に捲回し、
該各裁断片を互いに固着し腕部を一体化したのち前記身頃部と固着して上肢に外旋機能を持たせたこと、
を特徴とするスポーツ用シャツ。
【請求項２】
身頃部と腕部とから成る上衣であって、
前記腕部は、首部近傍から肩部を経由し腋下部と肘部との略中間位置乃至肘部近傍に至るまでの間を、スパイラル状に裁断され裁ち目を正布位置として長手方向にとった一つまたは複数の裁断片から成り、
該一つまたは複数の裁断片は、全体を強い伸度を有するストレッチ生地素材によりストレッチ部を形成し、
該ストレッチ部を形成する一つまたは複数の裁断片を前面側から見て腕部内側から外側に向け斜め下方に捲回し、
該各裁断片を互いに固着し腕部を一体化したのち前記身頃部と固着して上肢に内旋機能を持たせたこと、
を特徴とするスポーツ用シャツ。
【請求項３】
身頃部と腕部とから成る上衣であって、
前記腕部は、腋下部と肘部との略中間位置乃至肘部近傍から手首近傍に至るまでの間を、スパイラル状に裁断され裁ち目を正布位置として長手方向にとった一つまたは複数の裁断片から成り、
該一つまたは複数の裁断片は、全体を強い伸度を有するストレッチ生地素材によりストレッチ部を形成し、
該ストレッチ部を形成する一つまたは複数の裁断片を前面側から見て腕部外側から内側に向け斜め下方に捲回し、
該各裁断片を互いに固着し腕部を一体化したのち前記身頃部と固着して上肢の前腕に回外機能を持たせたこと、
を特徴とするスポーツ用シャツ。
【請求項４】
身頃部と腕部とから成る上衣であって、
前記腕部は、腋下部と肘部との略中間位置乃至肘部近傍から手首近傍に至るまでの間を、スパイラル状に裁断され裁ち目を正布位置として長手方向にとった一つまたは複数の裁断片から成り、
該一つまたは複数の裁断片は、全体を強い伸度を有するストレッチ生地素材によりストレッチ部を形成し、
該ストレッチ部を形成する一つまたは複数の裁断片を前面側から見て腕部内側から外側に向け斜め下方に捲回し、
該各裁断片を互いに固着し腕部を一体化したのち前記身頃部と固着して上肢の前腕に回内機能を持たせたこと、
を特徴とするスポーツ用シャツ。
【請求項５】
身頃部と腕部とから成る上衣であって、
前記腕部は、首部近傍から肩部、並びに肘部を経由して手首近傍に至るまでの間を、スパイラル状に裁断され裁ち目を正布位置として長手方向にとった一つまたは複数の裁断片から成り、
該一つまたは複数の裁断片は、全体を強い伸度を有するストレッチ生地素材によりストレッチ部を形成し、
該ストレッチ部を形成する一つまたは複数の裁断片を前面側から見て腕部外側から内側に向け斜め下方に捲回し、
前記各裁断片を互いに固着し腕部を一体化したのち前記身頃部と固着して上肢に外旋機能、並びに回外機能を持たせたこと、
を特徴とするスポーツ用シャツ。
【請求項６】
身頃部と腕部とから成る上衣であって、
前記腕部は、首部近傍から肩部、並びに肘部を経由して手首近傍に至るまでの間を、スパイラル状に裁断され裁ち目を正布位置として長手方向にとった一つまたは複数の裁断片から成り、
該一つまたは複数の裁断片は、全体を強い伸度を有するストレッチ生地素材によりストレッチ部を形成し、
該ストレッチ部を形成する一つまたは複数の裁断片を前面側から見て腕部内側から外側に向け斜め下方に捲回し、
前記各裁断片を互いに固着し腕部を一体化したのち前記身頃部と固着して上肢に内旋機能、並びに回内機能を持たせたこと、
を特徴とするスポーツ用シャツ。
【請求項７】
身頃部と腕部とから成る上衣であって、
前記腕部は、首部近傍から肩部を経由して腋下部と肘部との略中間位置乃至肘部近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部外側から内側に向け斜め下方に捲回し、
該各裁断片を互いに固着し腕部を一体化したのち前記身頃部と固着して上肢に外旋機能を持たせたこと、
を特徴とするスポーツ用シャツ。
【請求項８】
身頃部と腕部とから成る上衣であって、
前記腕部は、首部近傍から肩部を経由して腋下部と肘部との略中間位置乃至肘部近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部内側から外側に向け斜め下方に捲回し、
該各裁断片を互いに固着し腕部を一体化したのち前記身頃部と固着して上肢に内旋機能を持たせたこと、
を特徴とするスポーツ用シャツ。
【請求項９】
身頃部と腕部とから成る上衣であって、
前記腕部は、腋下部と肘部との略中間位置乃至肘部近傍から手首近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部外側から内側に向け斜め下方に捲回し、
該各裁断片を互いに固着し腕部を一体化したのち前記身頃部と固着して上肢の前腕に回外機能を持たせたこと、
を特徴とするスポーツ用シャツ。
【請求項１０】
身頃部と腕部とから成る上衣であって、
前記腕部は、腋下部と肘部との略中間位置乃至肘部近傍から手首近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部内側から外側に向け斜め下方に捲回し、
該各裁断片を互いに固着し腕部を一体化したのち前記身頃部と固着して上肢の前腕に回内機能を持たせたこと、
を特徴とするスポーツ用シャツ。
【請求項１１】
身頃部と腕部とから成る上衣であって、
前記腕部は、首部近傍から肩部、並びに肘部を経由して手首近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部外側から内側に向け斜め下方に捲回し、
前記各裁断片を互いに固着し腕部を一体化したのち前記身頃部と固着して上肢に外旋機能、並びに回外機能を持たせたこと、
を特徴とするスポーツ用シャツ。
【請求項１２】
身頃部と腕部とから成る上衣であって、
前記腕部は、首部近傍から肩部、並びに肘部を経由して手首近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部内側から外側に向け斜め下方に捲回し、
前記各裁断片を互いに固着し腕部を一体化したのち前記身頃部と固着して上肢に内旋機能、並びに回内機能を持たせたこと、
を特徴とするスポーツ用シャツ。
【請求項１３】
前記比較的弱い伸度を有するストレッチ生地素材から成る裁断片と、より強い伸度を有するストレッチ部から成るストレッチ生地素材から成る裁断片を配列した複数の裁断片から成る腕部は、前面側から見て上肢外側から内側に向け斜め下方に捲回する構成や、或いは、前面側から見て上肢内側から外側に向け斜め下方に捲回する構成にて形成され、そのうちより強い伸度を有するストレッチ部は、前記腕部の上腕部、及び／または、前腕部に各々少なくとも一カ所ずつ形成されていること、
を特徴とする請求項７乃至請求項１２の何れかに記載のスポーツ用シャツ。
【請求項１４】
前記身頃部と腕部とから成る上衣おいて、該上衣全体或いは腕部のみを交編、または交織にて一体形成するにあたり、腕部のストレッチ部を形成するには、該腕部のストレッチ部を切り替えし、または編み組織の変化により連続的に一体形成されること、
を特徴とする請求項１または請求項１３の何れかに記載のスポーツ用シャツ。
【請求項１５】
前記身頃部と腕部とから成る上衣において、該腕部を構成する裁断片のストレッチ部内の適宜位置において、該各々の裁断片固着位置に縫合部を積極的に形成することによって、各裁断片の特定位置の伸度を可変とすること、
を特徴とする請求項１乃至請求項１４の何れかに記載のスポーツ用シャツ。
【請求項１６】
前記身頃部と腕部とから成る上衣において、少なくともストレッチ生地素材から成る前記腕部が一体形成された後に、該腕部におけるストレッチ部の表面または裏面の少なくとも一部に、更に同一の、または異なる他のストレッチ生地素材からなる帯状、またはテープ状のストレッチ生地を固着すること、
を特徴とする請求項１乃至請求項１５の何れかに記載のスポーツ用シャツ。
【請求項１７】
前記身頃部と腕部とから成る上衣において、該腕部のストレッチ部を構成する強い伸度を有するストレッチ生地の伸長率が、生地としては１０〜６０％の範囲内であること、また該上衣の着用時には２０〜６０％の範囲内となるように設定されていること、
を特徴とする請求項１乃至請求項１６の何れかに記載のスポーツ用シャツ。
【請求項１８】
前記身頃部と腕部とから成る上衣において、該腕部のストレッチ部を構成する強い伸度を有するストレッチ生地の伸長率が、生地としては１０〜６０％の範囲内での、また該上衣の着用時には２０〜６０％の範囲内での強弱を有すること、
を特徴とする請求項１乃至請求項１７の何れかに記載のスポーツ用シャツ。
【請求項１９】
前記身頃部が伸縮性のある素材から成り、伸長率が２０から１５０％の範囲内であること、
を特徴とする請求項１乃至請求項１８の何れかに記載のスポーツ用シャツ。
【請求項２０】
前記腕部の比較的弱い伸度を有するストレッチ生地素材の伸長率が身頃の伸長率と略同一であるか、または、２０から１２０％の範囲内であること、
を特徴とする請求項７乃至１９の何れかに記載のスポーツ用シャツ。
【請求項２１】
前記身頃部と腕部とから成る上衣において、該上衣の腕部下端位置が、肘部にかかる半袖型、手首近傍で終わる長袖型などの体裁を呈すること、
を特徴とする請求項１乃至請求項２０の何れかに記載のスポーツ用シャツ。
【請求項２２】
前記身頃部の首回り部またはその下端或いは腕部の袖部下端の何れか、またはそれらの複数位置またはそれらの全て、の表側または肌側に、
或いは身頃部または腕部の肌側の一部または全面に、滑り止め機能を形成したこと、
を特徴とする請求項１乃至請求項２１の何れかに記載のスポーツ用シャツ。
【請求項２３】
前記身頃部の胸部または背部の上部の何れか、または双方に、ずれ上がり防止用のストレッチ部を形成したこと、
を特徴とする請求項１乃至請求項２２の何れかに記載のスポーツ用シャツ。
【請求項２４】
左腕部または右腕部の一方に、外旋または回外、または、外旋及び回外機能を持たせ、
他の一方には、内旋または回内、または内旋及び回内機能を持たせたこと、  を特徴とする請求項１乃至請求項２３の何れかに記載のスポーツ用シャツ。
【請求項２５】
左腕部または右腕部の一方には、外旋または回外、または、内旋または回内機能、或いは、外旋及び回外機能または内旋及び回内機能を持たせ、
他の一方には、これらの何れの機能も持たせないこと、
を特徴とする請求項１乃至請求項２３の何れかに記載のスポーツ用シャツ。
【発明の詳細な説明】
【技術分野】
【０００１】
本発明は、回旋機能を持たせたスポーツ用のシャツに関するものであり、特に本発明のスポーツ用シャツやアンダーシャツは、上肢上腕部に外旋機能、または内旋機能を持たせること、並びに上肢前腕部に回外機能、または回内機能を持たせること、或いは上肢に外旋・内旋機能、並びに回外・回内機能を持たせることにより、それぞれのスポーツにおける身体の動きに適応した運動のしやすいスポーツ用シャツやスポーツ用アンダーシャツを提供するものである。
【背景技術】
【０００２】
スポーツ用ウェアの開発は、プレイヤーの安全性や吸汗及び発散性、防寒性等が適正になるようにスポーツの種類や、プレーする環境に応じて、それぞれのスポーツに適した素材の研究や製品化が進められているだけでなく、各種スポーツにおいて、それぞれのプレイヤーの身体の動きに支障がなく運動機能がより大きく発揮できるスポーツウェアの素材や縫製方法の研究、開発も進められている。
【０００３】
例えば、上記スポーツプレイヤーの身体の動きに支障がなく運動機能がより大きく発揮できるスポーツウェアの一例として、特許第３６８２７１５号公報（以下、特許文献１と称する）には、水または空気抵抗を軽減する構成を有して、機能性が向上する競泳用水着に関する技術が開示されている。
【０００４】
特許文献１の発明における競泳用水着は、胸の両側から脚に掛けて緩いスパイラル状に裁断されたストレッチ生地素材からなる裁断片によって縫製されることを要旨としている。
【０００５】
また、上記各裁断片は、スパイラル状に裁断され裁ち目を正布位置としたストレッチ素材で構成してあり、使用する部位によってその強さ（張力）がそれぞれ異なり、大腿部を包んでいる裁断片が他の部分より張力の大きいストレッチ素材が使用してあったり、また、脹ら脛部には、他の部位より張力を小さくしたりと、任意に構成することを要旨としている。
【０００６】
而して、特許文献１の発明における競泳用水着は、水着の裁断片をスパイラルが生じるように裁断してこれを縫製したことにより、着用者の後方にカルマン渦の発生が少なくなり、その分軽く移動することができる。また裁断片はストレッチ素材で構成してあるため、適当な筋肉の引き締めもおこなわれ、着用者の筋肉が発揮され易い利点を有すると共に、着用者の蹴り出し力を強くしたり、あるいは該蹴り出し力に悪影響を与えないようにすることができる、と云うものである。
【０００７】
そして、特許文献１の発明における実施例は、競泳用水着だけでなく、例えば、陸上の短距離競走や、スケートやスキーなどの距離競技、または各種自転車競技やスキーのダウンヒル・ジャンプ競技など、空気抵抗乃至流体抵抗に関わるスポーツ用ウェア全般についても同様に実施することができるとしており、特許文献１の発明を実際に競技用水着やスキーのジャンプ競技用ウェアに実施して、当初の効果を生じせしめている。
【０００８】
また、前記特許文献１に類似した構成を一部に有した脚線矯正用の股付き衣類が、従来技術として、特許第３７８２４４１号公報（以下、特許文献２と称する）に開示されている。
【０００９】
特許文献２は、ロングタイプのガードル、パンティストッキング、タイツ、男女スパッツ型の水着、男女スポーツウェア等の脚線矯正用の股付き衣類に関するものである。
【００１０】
特許文献２の発明は、従来の脚線矯正用股付き衣類が、単に脚部をすっきり見せたり、ヒップアップ効果を高めたり、膝関節症の治療や予防をしたり、脚部の運動能力を高めることを主なコンセプトとしているものであって、いわゆるＯ脚等による膝の開きすぎを矯正するためのものではない点に着目されて、なされている。
【００１１】
従って、特許文献２の発明は、着用者の膝を内側に向けやすくする脚線矯正用の股付き衣類を提供することを目的に、少なくとも腰部から大腿部の上部までを被覆する伸縮性の本体部と、本体部よりも緊締力が強く、大腿部の大内転筋が位置する部位を帯状に覆う伸縮性のサポートライン部を備え、サポートライン部は、大腿骨の長手方向の前側ラインよりも外側に対応する位置を下端とし、大腿部の後側であり臀溝の内側端部よりも外側に対応する位置を上端として、下端から大腿部の前側及び大腿部の後側でかつ臀溝の下部を通り、上端に向けてらせん状に連なることにより、大腿部に密着した状態で大内転筋の動きをサポートすることを特徴としている。
【００１２】
そして、特許文献２の発明に係る股付き衣類が着用されると、大内転筋が位置する部位を帯状に覆い、緊締力が強いサポートライン部は、着用者の動きに合わせて伸縮する。特に、着用者の動きに合わせて皮膚が大きく伸長する太腿の内側に対応する部分には、大きな緊締力が生じる。この緊締力が生じることにより、大内転筋が位置する太腿の内側には、股関節を支点として、大腿骨を内側へ回転させようとする力が作用する。これにより、大内転筋の動きをサポートすることができるので、着用者の膝を無理なく内側に向けることができ、ひいては脚線を矯正できる、としている。
【００１３】
斯くして、従来技術として開示した特許文献１の発明と、特許文献２の発明の共通点は、特許文献１が着用する競泳用水着等のスポーツウェアの構成が、使用する部位によってその強さ（張力）がそれぞれ異なるストレッチ素材で構成されていること、特許文献２は、脚線矯正用股付き衣類において、腰部から大腿部の上部までを被覆する伸縮性の本体部と、前記本体部より緊締力が強い伸縮性のサポートライン部から構成されている点にあり、着用するスポーツウェアや脚線矯正用の股付き衣類等において、使用する部位によってその張力がそれぞれ異なるストレッチ素材を用いて筋肉に作用させることや、伸長性のある本体部と緊締力が強いサポートライン部を用いて同様に大内転筋に作用させ脚線を矯正すると云う点である。
【００１４】
然しながら、従来技術おいて、スポーツウェアの使用する部位によってその張力がそれぞれ異なるストレッチ素材を用いて筋肉に作用させることや、伸長性のある本体部と緊締力が強いサポートライン部を用いて大内転筋に作用させ脚線を矯正する、と云うことは、現実には非常に難しいことである。ウェアや矯正用衣類の着用者は、それぞれ身長や筋肉の鍛え方で個人差を有しており、張力の強いストレッチ素材等が有効に作用する筋肉部位が、人によって大きく異なることから個人差のある筋肉部に適切に作用して、それぞれの機能を発揮できない等の欠点があった。
【００１５】
また、本発明の如く、スポーツ用のシャツやスポーツ用のアンダーシャツの腕部に外旋機能、または内旋機能を持たせること、並びに前腕部に回外機能、または回内機能を持たせること、或いは前記腕部に外旋・内旋機能、及び回外・回内機能等の回旋機能を持たせ、それぞれのスポーツにおける身体の動きに適応した運動のしやすいスポーツ用シャツやスポーツ用アンダーシャツを提供するものは皆無であった。
【特許文献１】特許第３６８２７１５号公報
【特許文献２】特許第３７８２４４１号公報
【発明の開示】
【発明が解決しようとする課題】
【００１６】
而して、本発明は、回旋機能を持たせたスポーツ用シャツに関するものであり、特に本発明のスポーツ用シャツやアンダーシャツは、上肢上腕部に外旋機能、または内旋機能を持たせること、並びに上肢前腕部に回外機能、または回内機能を持たせること、或いは上肢に外旋・内旋機能、並びに回外・回内機能を持たせることにより、それぞれのスポーツにおける身体の動きに適応した運動のしやすいスポーツ用のシャツやスポーツ用のアンダーシャツを提供するものである。
【００１７】
本発明において、上肢とは腕のことで、上肢帯、上腕、前腕、手の四部分に分けられており、上腕は肩からひじを、前腕はひじから手首までを云う。そして、特に本発明におけるスポーツ用のシャツにおいて、腕部とは、首部近傍から肩部を経由して腋下部とひじ部を通り手首近傍部までを総称している。
【００１８】
上肢上腕部の外旋または内旋機能とは、上肢の長軸を軸とする回旋運動機能を有するもので、上肢の長軸を軸として上肢を体幹の外側に回旋する運動機能を外旋機能、同じ上肢の長軸を軸として上肢を体幹の内側に回旋する運動機能を内旋機能とする。
【００１９】
また、前腕における回旋運動で掌を体幹の外側に回旋する運動機能を回外機能、同じく、前腕における回旋運動で手（掌）を体幹の内側に回旋する運動機能を回内機能とする。
【００２０】
そして、例えば、外旋機能や回外機能が必要なスポーツ用のシャツとしては、野球、テニス、バトミントン、ゴルフ等があげられる。また、内旋機能や回内機能が必要なスポーツ用のシャツとしては、スケート、水泳等があり、所謂スポーツ用のシャツとして、回旋機能を持たせたスポーツウェアの利用範囲は広い。
【００２１】
而して、本発明の課題は、上述した各種のスポーツ用のシャツに、それぞれ内旋機能、または外旋機能を持たせることにより、それぞれのスポーツにおける身体の動きに充分に適応した運動をしやすいスポーツ用シャツやスポーツ用アンダーウェアを提供するものである。
【課題を解決するための手段】
【００２２】
上記、課題を解決するために、本発明は、身頃部と腕部とから成る上衣であって、前記腕部は、首部近傍から肩部を経由し腋下部と肘部との略中間位置乃至肘部近傍に至るまでの間を、スパイラル状に裁断され裁ち目を正布位置として長手方向にとった一つまたは複数の裁断片から成り、該一部または複数の裁断片は、全体を強い伸度を有するストレッチ生地素材によりストレッチ部を形成し、該ストレッチ部を形成する一つまたは複数の裁断片を前面側から見て腕部外側から内側に向け斜め下方に捲回し、該各裁断片を互いに固着し腕部を一体化したのち前記身頃部と固着して上肢に外旋機能を持たせたこと、をその要旨としている。
【００２３】
また、本発明は、身頃部と腕部とから成る上衣であって、前記腕部は、首部近傍から肩部を経由し腋下部と肘部との略中間位置乃至肘部近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材によりストレッチ部を形成し、該ストレッチ部を形成する一つまたは複数の裁断片を前面側から見て腕部内側から外側に向け斜め下方に捲回し、該各裁断片を互いに固着し腕部を一体化したのち前記身頃部と固着して上肢に内旋機能を持たせたこと、をも要旨とするものである。
【００２４】
また、本発明は、身頃部と腕部とから成る上衣であって、前記腕部は、腋下部と肘部との略中間位置乃至肘部近傍から手首近傍に至るまでの間を、スパイラル状に裁断され裁ち目を正布位置として長手方向にとった一つまたは複数の裁断片から成り、
該一つまたは複数の裁断片は、全体を強い伸度を有するストレッチ生地素材によりストレッチ部を形成し、該ストレッチ部を形成する一つまたは複数の裁断片を前面側から見て腕部外側から内側に向け斜め下方に捲回し、該各裁断片を互いに固着し腕部を一体化したのち前記身頃部と固着して上肢の前腕に回外機能を持たせたこと、を要旨とするものである。
【００２５】
そして、本発明は、身頃部と腕部とから成る上衣であって、前記腕部は、腋下部と肘部との略中間位置乃至肘部近傍から手首近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材によりストレッチ部を形成し、該ストレッチ部を形成する一つまたは複数の裁断片を前面側から見て腕部内側から外側に向け斜め下方に捲回し、該各裁断片を互いに固着し腕部を一体化したのち前記身頃部と固着して上肢の前腕に回内機能を持たせたこと、をも要旨とするものである。
【００２６】
更に、本発明は、身頃部と腕部とから成る上衣であって、前記腕部は、首部近傍から肩部、並びに肘部を経由して手首近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材によりストレッチ部を形成し、該ストレッチ部を形成する一つまたは複数の裁断片を前面側から見て腕部外側から内側に向け斜め下方に捲回し、前記各裁断片を互いに固着し腕部を一体化したのち前記身頃部と固着して上肢に外旋機能、並びに回外機能を持たせたこと、を要旨とするものである。
【００２７】
更にまた、本発明は、身頃部と腕部とから成る上衣であって、前記腕部は、首部近傍から肩部、並びに肘部を経由して手首近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材によりストレッチ部を形成し、該ストレッチ部を形成する一つまたは複数の裁断片を前面側から見て腕部内側から外側に向け斜め下方に捲回し、前記各裁断片を互いに固着し腕部を一体化したのち前記身頃部と固着して上肢に内旋機能、並びに回内機能を持たせたこと、をも要旨とするものである。
【００２８】
斯くして、本発明の課題を解決する手段を更に詳説すると、身頃部と腕部とから成る上衣であって、前記腕部は、首部近傍から肩部を経由して腋下部と肘部との略中間位置乃至肘部近傍に至るまでの間を、スパイラル状に裁断され裁ち目を正布位置として長手方向にとった複数の裁断片から成り、該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部外側から内側に向け斜め下方に捲回し、該各裁断片を互いに固着し腕部を一体化したのち前記身頃部と固着して上肢に外旋機能を持たせたこと、をもその要旨としている。
【００２９】
また、本発明は、身頃部と腕部とから成る上衣であって、前記腕部は、首部近傍から肩部を経由して腋下部と肘部との略中間位置乃至肘部近傍に至るまでの間を、スパイラル状に裁断され裁ち目を正布位置として長手方向にとった複数の裁断片から成り、該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部内側から外側に向け斜め下方に捲回し、該各裁断片を互いに固着し腕部を一体化したのち前記身頃部と固着して上肢に内旋機能を持たせたこと、をもその要旨である。
【００３０】
そして、本発明は、身頃部と腕部とから成る上衣であって、前記腕部は、腋下部と肘部との略中間位置乃至肘部近傍から手首近傍に至るまでの間を、スパイラル状に裁断され裁ち目を正布位置として長手方向にとった複数の裁断片から成り、該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部外側から内側に向け斜め下方に捲回し、該各裁断片を互いに固着し腕部を一体化したのち前記身頃部と固着して上肢の前腕に回外機能を持たせたこと、をもその要旨としている。
【００３１】
また、本発明は、身頃部と腕部とから成る上衣であって、前記腕部は、腋下部と肘部との略中間位置乃至肘部近傍から手首近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部内側から外側に向け斜め下方に捲回し、該各裁断片を互いに固着し腕部を一体化したのち前記身頃部と固着して上肢の前腕に回内機能を持たせたこと、をもその要旨である。
【００３２】
更に、本発明は、身頃部と腕部とから成る上衣であって、前記腕部は、首部近傍から肩部、並びに肘部を経由して手首近傍に至るまでの間を、スパイラル状に裁断され裁ち目を正布位置として長手方向にとった複数の裁断片から成り、該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部外側から内側に向け斜め下方に捲回し、前記各裁断片を互いに固着し腕部を一体化したのち前記身頃部と固着して上肢に外旋機能、並びに回外機能を持たせたこと、をその要旨としている。
【００３３】
更にまた、本発明は、身頃部と腕部とから成る上衣であって、前記腕部は、首部近傍から肩部、並びに肘部を経由して手首近傍に至るまでの間を、スパイラル状に裁断され裁ち目を正布位置として長手方向にとった複数の裁断片から成り、
該複数の裁断片は、比較的弱い伸度を有するストレッチ生地素材から成る裁断片と、より強い伸度を有してストレッチ部を構成するストレッチ生地素材から成る裁断片とを配列して、前面側から見て腕部内側から外側に向け斜め下方に捲回し、前記各裁断片を互いに固着し腕部を一体化したのち前記身頃部と固着して上肢に内旋機能、並びに回内機能を持たせたこと、をもその要旨とするものである。
【００３４】
尚、本発明において、前記比較的弱い伸度を有するストレッチ生地素材から成る裁断片と、より強い伸度を有するストレッチ部から成るストレッチ生地素材から成る裁断片を配列した複数の裁断片から成る腕部は、上肢外側から内側に向け斜め下方に捲回する構成や、或いは、上肢内側から外側に向け斜め下方に捲回する構成にて形成され、そのうちより強い伸度を有するストレッチ部は、前記腕部の上腕部、及び／または、前腕部に各々少なくとも一カ所ずつ形成されていること、をその特徴としている。
【００３５】
また、本発明は、前記身頃部と腕部とから成る上衣おいて、該上衣全体或いは腕部のみを交編、または交織にて一体形成するにあたり、腕部のストレッチ部を形成するには、該腕部のストレッチ部を切り替えし、または編み組織の変化により連続的に一体形成されること、をもその特徴としている。  
【００３６】
更に本発明は、前記身頃部と腕部とから成る上衣において、該腕部を構成する裁断片のストレッチ部内の適宜位置において、該各々の裁断片固着位置に縫合部を積極的に形成することによって、各裁断片の特定位置の伸度を可変とすることもできる。
【００３７】
また、本発明は、前記身頃部と腕部とから成る上衣において、少なくともストレッチ生地素材から成る前記腕部が一体形成された後に、該腕部におけるストレッチ部の表面または裏面の少なくとも一部に、更に同一の、または異なる他のストレッチ生地素材からなる帯状、またはテープ状のストレッチ生地を固着することも可能である。
【００３８】
而して、本発明は、前記身頃部と腕部とから成る上衣において、該腕部のストレッチ部を構成する強い伸度を有するストレッチ生地の伸長率が、生地としては１０〜６０％の範囲内であること、また該上衣の着用時には２０〜６０％の範囲内となるように設定されていることが好ましい。
【００３９】
また、本発明は、前記身頃部と腕部とから成る上衣において、該腕部のストレッチ部を構成する強い伸度を有するストレッチ生地の伸長率が、生地としては１０〜６０％の範囲内での、また該上衣の着用時には２０〜６０％の範囲内での強弱を有するように設定されていることが好ましい。
【００４０】
更に、本発明は、前記身頃部が伸縮性のある素材から成り、伸長率が２０から１５０％の範囲内であるように設定されていることもまた好ましい。
【００４１】
更にまた、本発明は、前記腕部の比較的弱い伸度を有するストレッチ生地素材の伸長率が身頃の伸長率と略同一であるか、または、２０から１２０％の範囲内であるように設定されている。
【００４２】
尚、本発明は、前記身頃部と腕部とから成る上衣において、該上衣の腕部下端位置が、肘部にかかる半袖型、手首近傍で終わる長袖型などの体裁を呈しうる。
【００４３】
そして、本発明は、前記身頃部の首回り部またはその下端或いは腕部の袖部下端の何れか、またはそれらの複数位置またはそれらの全て、の表側または肌側に、或いは身頃部または腕部の肌側の一部または全面に、滑り止め機能を形成することが好ましい。
【００４４】
また、本発明は、前記身頃部の胸部または背部の上部の何れか、または双方に、ずれ上がり防止用のストレッチ部を形成することが好ましい
【００４５】
斯くして、本発明の応用例は、左腕部または右腕部の一方に、外旋または回外、または、外旋及び回外機能を持たせ、
他の一方には、内旋または回内、または内旋及び回内機能を持たせたことを特徴とすることもできる。
【００４６】
そして、他の応用例として、本発明は、左腕部または右腕部の一方には、外旋または回外、または、内旋または回内機能、或いは、外旋及び回外機能または内旋及び回内機能を持たせ、
他の一方には、これらの何れの機能も持たせないことを特徴とすることもできる。
【発明の効果】
【００４７】
而して、本発明は、上肢、即ち腕部に外旋または内旋機能、並びに回外または回内機能を持たせたスポーツ用シャツに関するものであり、特に本発明における効果として、スポーツ用シャツやスポーツ用アンダーシャツに外旋機能または内旋機能、並びに回外または回内機能を持たせた構成となし、それぞれのスポーツにおける身体の動きに適応した運動のしやすいスポーツ用シャツやスポーツ用アンダーシャツを提供することができた。
【００４８】
のみならず、人体上腕部に外旋または内旋機能が働くことや、前腕部において回外または回内機能が働くので、結果として、上腕や前腕の矯正なども可能となるばかりか、該上腕や前腕に係わる体型補正の効果も、極めて効率よく生じるものである。
【発明を実施するための最良の形態】
【００４９】
ここでは、以下に、本発明実施に際しての補足的説明や、幾つかの本明細書中の用語の説明等を述べておきたい。
【００５０】
「メカニズム」
先ずはじめに上肢の外旋機能、内旋機能、並びに回外機能、回内機能の説明とそのメカニズムについて述べたい。
本発明において定義付けられる外旋または内旋機能を持たせたスポーツ用シャツやスポーツ用アンダーシャツにおける「外旋」または「内旋」運動乃至機能とは、上肢（腕のことで、上肢体、上腕、前腕、手の四部分に分けられる）の長軸Ｃを軸とする運動機能を有するものであって、上肢の長軸Ｃを軸として上腕が「体幹（身体の中軸をなす部分、頭部、首部、胸部、腹部に分けられる）」の外側に回転する運動機能を外旋機能（図１ａに示す）、同じ上肢の長軸Ｃを軸として上腕が内側に回転する運動機能を内旋機能（図１ｂに示す）とする。
【００５１】
これに対して、本発明において定義付けられる回外または回内機能を持たせたスポーツ用シャツやスポーツ用アンダーシャツにおける「回外」または「回内」運動乃至機能とは、前腕における回旋運動で、前腕の長軸を軸として手（掌）を体幹の外側方向へ回旋する運動機能を回外機能（図２ａに示す）、同じ前腕の長軸を軸として手（掌）を体幹の内側方向に回旋する運動機能を回内機能（図２ｂに示す）とする。然しながら、「回外」または「回内」運動機能を考察すると広義の意味では、「回外」または「回内」運動乃至機能は、前記「外旋」または「内旋」運動乃至機能の一種とも云える。
【００５２】
また、本発明においては、直接関連はないが、類似の運動乃至機能として、上肢の「外転」または「内転」運動乃至機能がある。上肢の「外転」または「内転」運動乃至機能とは、身体の中軸をなす「体幹」から上肢を遠ざける作用（腕を上げる等して）を「外転」、上肢を下ろして上肢を体幹に近づける作用を「内転」と云う（図２ｃに示す）。
【００５３】
而して、上述した外旋、内旋機能、または、回外、回内機能は、後述する本明細書の実施例中においても詳説しているところの基本的なメカニズムを具体的には有している（例えば段落番号「０１２５」〜「０１３１」や「図１０及び１１、図１８及び１９」等）。
【００５４】
このメカニズムを発揮させるためには、請求項１乃至請求項１２の構成が必要となるが、更に説明を補足したい。
【００５５】
即ち、厳密なメカニズム的意味では、本発明における外旋機能は、請求項１で述べたように、腕部の構成は、首部近傍から肩部を経由して腋下部と肘部との略中間位置乃至肘部近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材により構成してストレッチ部を形成し、該ストレッチ部を形成する一つまたは複数の裁断片を前面側から見て腕部外側から内側に向け斜め下方に捲回し、該各裁断片を互いに固着し腕部を一体化したのち前記身頃部と固着して、上肢に外旋機能を持たせたことで十分に発揮されている（外旋機能の場合）。
【００５６】
また、本発明における内旋機能は、請求項２で述べたように、腕部の構成は、首部近傍から肩部を経由して腋下部と肘部との略中間位置乃至肘部近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材により構成してストレッチ部を形成し、該ストレッチ部を形成する一つまたは複数の裁断片を前面側から見て腕部内側から外側に向け斜め下方に捲回し、該各裁断片を互いに固着し腕部を一体化したのち前記身頃部と固着して、上肢に内旋機能を持たせたことで、同じく十分に発揮されている（内旋の場合）。
【００５７】
而して、本発明におけるスポーツ用シャツ等の上衣の構成は、大きく分けて身頃部と腕部に分かれおり、該スポーツ用シャツ等における名称で、「腕部」とは、首部近傍から肩部、腋下部、肘部、前腕部の総称である。
【００５８】
本発明における身頃部と腕部とから成る上衣において、請求項１、並びに請求項２に記載された腕部に捲回される一つまたは複数の「裁断片」は、全体にストレッチ部を形成し、該ストレッチ部にて一般的に云う肩部を十分に覆い、首部近傍から肩部を経由して腋下部と肘部との略中間位置乃至肘部近傍に至るまでの間に強い圧を加える構成としている。而して、本発明において、前記「肩部を覆う」と云う構成は非常に重要な発明の構成要素であり、肩部を十分に覆わないと、外旋、内旋の機能は生じない。
【００５９】
そして、本発明における外旋機能は、請求項７にて述べたように、腕部の構成は、首部近傍から肩部を経由して腋下部と肘部との略中間位置乃至肘部近傍に至るまでの間を、スパイラル状に裁断され裁ち目を正布位置として長手方向にとった複数の裁断片から成り、該複数の裁断片は、比較的弱い伸度を有するストレッチ生地素材と、より強い伸度を有してストレッチ部を構成するストレッチ生地素材とで構成して、前面側から見て腕部外側から内側に向け斜め下方に捲回し、該各裁断片を互いに固着し腕部を一体化したのち前記身頃部と固着して、上肢に外旋機能を持たせたことでも十分に発揮されている（外旋の場合）。
【００６０】
また、本発明における外旋機能は、請求項８にて述べたように、腕部の構成は、首部近傍から肩部を経由して腋下部と肘部との略中間位置乃至肘部近傍に至るまでの間を、スパイラル状に裁断され裁ち目を正布位置として長手方向にとった複数の裁断片から成り、該複数の裁断片は、比較的弱い伸度を有するストレッチ生地素材と、より強い伸度を有してストレッチ部を構成するストレッチ生地素材とで構成して、前面側から見て腕部内側から外側に向け斜め下方に捲回し、該各裁断片を互いに固着し腕部を一体化したのち前記身頃部と固着して、上肢に内旋機能を持たせたことでも十分に発揮されている（内旋の場合）。
【００６１】
斯くして、上述した請求項７、及び請求項８においては、比較的弱い伸度を有するストレッチ生地素材から成る裁断片と、より強い伸度を有するストレッチ部から成るストレッチ生地素材とから成る裁断片とを配列して成る腕部を、前面側から見て上肢外側から内側に向け斜め下方に捲回する構成や、或いは、前面側から見て上肢内側から外側に向け斜め下方に捲回する構成にて形成され、そのうちより強い伸度を有するストレッチ部は、前記腕部の上腕部に少なくとも一カ所ずつ形成されていることでも、その機能が十分に発揮されている。
【００６２】
次に、本発明の回外、回内機能のメカニズムを発揮するための構成を補足説明する。
【００６３】
即ち、厳密なメカニズム的意味では、本発明における回外機能は、請求項３で述べたように、腕部の構成は、肘部近傍から手首近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材により構成してストレッチ部を形成し、該ストレッチ部を形成する一つまたは複数の裁断片を前面側から見て腕部外側から内側に向け斜め下方に捲回し、該各裁断片を互いに固着し腕部を一体化したのち前記身頃部と固着して、上肢の前腕に回外機能を持たせたことで十分に発揮されている（回外の場合）。
【００６４】
また、本発明における回内機能は、請求項４で述べたように、腕部の構成は、ひじ部近傍から手首近傍に至るまでの間を、スパイラル状に裁断され裁ち目を正布位置として長手方向にとった一つまたは複数の裁断片から成り、該一つまたは複数の裁断片は、全体を強い伸度を有するストレッチ生地素材により構成してストレッチ部を形成し、該ストレッチ部を形成する一つまたは複数の裁断片を前面側から見て腕部内側から外側に向け斜め下方に捲回し、該各裁断片を互いに固着し腕部を一体化したのち前記身頃部と固着して、上肢の前腕に回内機能を持たせたこで、十分に発揮されている（回内の場合）。
【００６５】
従って、本発明における回外、回内機能を発揮する身頃部と腕部とから成る上衣において、腕部、即ち、肘部近傍から手首近傍に至るまでの間となるので、「前腕部」となるが、該前腕部に捲回される裁断片は、全体にストレッチ部を形成、該ストレッチ部にてひじ部近傍から手首近傍に至るまでの間に強い圧を加える構成としている。
【００６６】
また、本発明における回外機能は、請求項９で述べたように、腕部の構成は、腋下部と肘との略中間位置乃至肘部近傍から手首近傍に至るまでの間を、スパイラル状に裁断され裁ち目を正布位置として長手方向にとった複数の裁断片から成り、該複数の裁断片は、比較的弱い伸度を有するストレッチ生地素材から成る裁断片と、より強い伸度を有してストレッチ部を構成するストレッチ生地素材からなる裁断片とを配列して前面側から見て腕部外側から内側に向け斜め下方に捲回し、該各裁断片を互いに固着し腕部を一体化したのち前記身頃部と固着して、上肢の前腕に回外機能を持たせたことで、十分に発揮されている（回外の場合）。
【００６７】
更に、本発明における回内機能は、請求項１０で述べたように、腕部の構成は、腋下部と肘部との略中間位置乃至肘部近傍から手首近傍に至るまでの間を、スパイラル状に裁断され裁ち目を正布位置として長手方向にとった複数の裁断片から成り、該複数の裁断片は、比較的弱い伸度を有するストレッチ生地素材から成る裁断片と、より強い伸度を有してストレッチ部を構成するストレッチ生地素材から成る裁断片を配列して前面側から見て腕部内側から外側に向け斜め下方に捲回し、該各裁断片を互いに固着し腕部を一体化したのち前記身頃部と固着して、上肢の前腕に回内機能を持たせたことで、十分に発揮されている（回内の場合）。
【００６８】
斯くして、上述した請求項９、及び請求項１０においては、比較的弱い伸度を有するストレッチ生地素材から成る裁断片と、より強い伸度を有するストレッチ部から成るストレッチ生地素材から成る裁断片とを配列して前腕部を、前面側から見て上肢外側から内側に向け斜め下方に捲回する構成や、或いは、上肢内側から外側に向け斜め下方に捲回する構成にて形成され、その内より強い伸度を有するストレッチ部は、前記腕部の前腕部に少なくとも一カ所ずつ形成されていることでも、その機能が十分に発揮されている。
【００６９】
更にまた、請求項５、及び請求項６、並びに請求項１１、及び請求項１２は、身頃部と腕部とから成る上衣であって、前記腕部の構成は、首部近傍から肩部、並びにひじ部を経由して手首近傍に至るまでの間、即ち、長袖形状となし、該腕部に外旋、内旋機能、並びに回外、回内機能をそれぞれ兼ね備えて組み合わせたものである。
【００７０】
「素材」
上衣の腕部を構成するストレッチ生地の素材は、強い伸度を形成しうる伸縮性のある素材であればよく、格別な限定はされないが、一般的には、ポリエステル系、ナイロン系等の合成繊維とポリウレタンやポリオレフィン系弾性繊維等との交編または交織生地素材が多く用いられる。
【００７１】
また、上衣の身頃部は、一般的に云うところの伸縮性のある生地にて構成されている。そして、その伸度は、伸長率が２０から１５０％の範囲内であるとしている。
【００７２】
「裁断片」
本発明における裁断片とは、請求項１乃至請求項６においては、全体がストレッチ部であるところの腕部全体の構成生地を言い、例えばそれぞれの縫い目を縫着することにより上衣の腕部を形成している。
【００７３】
従って、上記裁断片は、スパイラル状に裁断され裁ち目を正布位置として長手方向にとった一つまたは複数の裁断片から成り、該一つまたは複数の裁断片は、全体を強い伸度を有するストレッチ生地素材により構成してストレッチ部を形成するものであれば、その幅の大小や、枚数は任意に設定できる。
尚、念のためであるが、請求項１乃至６に於いて、「各裁断片を互いに固着し腕部を一体化したのち」、とあるのは、裁断片が複数枚から成る場合であって、一枚の裁断片から成る場合には、この作業工程は不要であることは言うまでもない、ことを述べておきたい。
【００７４】
また、本発明の請求項７乃至請求項１２における裁断片の構成は、比較的弱い伸度を有するストレッチ生地素材から成る裁断片と、より強い伸度を有するストレッチ部から成るストレッチ生地素材から成る裁断片とを配列して構成され、該比較的弱い伸度を有する裁断片とより強い伸度を有する裁断片を交互に配列したり、該裁断片を任意に配列して縫着等することで、上衣の腕部を構成している。
【００７５】
従って、上記裁断片は、スパイラル状に裁断され裁ち目を正布位置として長手方向にとった複数の裁断片から成り、該複数の裁断片は、部分的に強い伸度を有するストレッチ生地素材により構成してストレッチ部を形成するものであれば、そのストレッチ部を形成する裁断片は幅の大小や、枚数は任意に設定できる。
【００７６】
「位置どり」
而して、本発明の請求項７乃至請求項１２の実施例においては、特に、所謂バイアスにとったスパイラル状に裁断された生地部において、所定の「位置どり」を必要とするが、該部分は、比較的弱い伸度を有するストレッチ生地素材と、より強い伸度を有するストレッチ部から成るストレッチ生地素材とで構成された複数の裁断片から成る腕部である。
【００７７】
従って、該腕部に前面側から見て上肢外側から内側に向け斜め下方に捲回する裁断片や、或いは、前面側から見て上肢内側から外側に向け斜め下方に捲回する裁断片のうち、より強い伸度を有するストレッチ部から成る裁断片は、前記腕部の上腕部、または、前腕部に各々少なくとも一カ所ずつ形成され、当該所定の位置どりを呈していれば本発明の機能は、十分に発揮できる。
【００７８】
「ストレッチ部の伸度」
本明細書（請求項１乃至請求項１２など）におけるストレッチ生地において、ストレッチ部の伸度とは、生地自体の最大伸度とは関係なく、「強い伸度」たることが必須である。
一般的に言って、通常のスポーツウェアやシャツの場合では、生地に対し２０％〜６０％伸ばされた状態で着用する、という前提での設計がなされている。
前記設計において、本発明では、生地には「強い伸度」を必要とするが、この「強い伸度」とは、ＪＩＳ  Ｌ  １０１８のＢ法（定荷重法）０．５Ｋｇ荷重時での伸長率が１０〜６０％の範囲内であることが必要とされる。
即ち、上記条件による伸長率が６０％よりも大きくては容易に伸びてしまうため本発明の実施には適さず、また、同じく伸長率が１０％よりも小さい場合には殆ど伸びがないためスポーツ用シャツとしては不適である。
【００７９】
而して、本発明において、前記腕部の比較的弱い伸度を有するストレッチ生地素材の伸長率が身頃の伸長率と略同一であるか、または、２０から１２０％の範囲内であることが好ましい。
【００８０】
そして、ストレッチ生地素材から成るストレッチ部の裁断片は、所定の位置どりをしたスパイラル形状を形成していることが必要とされるが、その裁断片の構成枚数や、位置如何により、あるいは意匠的理由や上衣の大小その他により、緩急の差違があってもよく、必ずしも「緩い」スパイラル形状を呈することを意味してはいない。
【００８１】
「ストレッチ部」
本発明において、請求項等で「ストレッチ部」と記述してあるのは、「スパイラル状に裁断され、裁ち目を正布位置として長手方向にとった（所謂バイアスにとった）生地部分であって、強い伸度を有する片」を言う。
【００８２】
「固着」
請求項１乃至請求項１２、その他に云う「固着」とは、スポーツ用シャツの製作にあたり一般的に用いられている、縫着、接着、貼着、溶着、プリント等による一体化手法を広く含むものであり、格別限定されることはない。
尚、同じく固着部とは、上記同様縫着部分、接着部分等を云うものである。
【００８３】
「上衣の形態等」
上衣の形態としては、所謂、半袖型や長袖型があり、半袖型の腕部の構成は、首部近傍から肩部を経由して腋下部と肘部との略中間位置乃至肘部近傍に至るまでの間であることは請求項等に明記されていることであるが、該半袖等の下端は、ストレッチ部の下端とは格別関係を有さない。
【００８４】
即ち、ストレッチ部が肘部下端や手首にまでは延設されず、肘部との略中間位置を終点位置とすることもあることはいうまでもない。。
従って、より正確に言うならば、半袖型、長袖型の袖下端位置は、「少なくとも」ストレッチ部の下端位置である、ということになる。
【００８５】
尚、本発明の上衣腕部の下端、またはストレッチ部の下端の何れか、或いは双方の、肌側、または外側に、シリコンを塗布したテープを設けるなど、或いは、外側にベルトを設けるなどの各種常法手段乃至構成を形成すると上衣の腕部の滑り止めとなるので、本発明の効果としての外旋、内旋機能、または回外、回内機能はより一層発揮される。
尚、上衣の身頃上端（首回り部）や胸回り部、胴回り部に当該滑り止めを形成しうることはあらためて言うまでもない。
【００８６】
尚、本発明の身頃部の首回り部またはその下端或いは腕部の袖部下端の何れか、またはそれらの複数位置またはそれらの全て、の肌側や表側にのみならず、
身頃部または腕部の肌側の一部または全面に、シリコンを塗布したテープを設けるなどの滑り止め機能を形成すると、本発明の効果としての外旋、内旋機能、または回外、回内機能はより一層発揮される。
【００８７】
更に、前記身頃部の胸部または背部の上部の何れか、または双方に、ずれ上がり防止用のストレッチ部を形成することにより、本発明の効果としての外旋、内旋機能、または回外、回内機能はより一層発揮される。
【００８８】
また、本発明のスポーツ用シャツを形成する上衣に、更に下衣部を連続乃至連続的に一体として、所謂ワンピース型等とすることも勿論可能である。
【００８９】
また、本発明の根拠となる前記外旋、内旋、並びに回外、回内のメカニズムと本発明の構成を考慮に入れると、左腕部と右腕部とをそれぞれに分けた上衣とすることも出来る。
【００９０】
即ち、本発明においては、左腕部または右腕部の一方に、外旋または回外、または、外旋及び回外機能を持たせ、他の一方には、内旋または回内、または内旋及び回内機能を持たせた構成とすることである。
【００９１】
また、本発明においては、左腕部または右腕部の一方には、外旋または回外、または、内旋または回内機能、或いは、外旋及び回外機能または内旋及び回内機能を持たせ、他の一方には、これらの何れの機能も持たせない構成とし、前記変形により完成品を作ることもまた可能であって、該発明は、特定の目的、例えば身体の矯正目的の上衣乃至シャツとする、という応用も可能である。
【００９２】
「適用される運動種目等」
本発明は、上述の外旋、内旋、または回外、回内の機能乃至メカニズムの結果として、外旋機能や回外機能のあるスポーツ用シャツは、例えば、野球、テニス、バトミントン、ゴルフ等として最適であり、また、内旋機能や回内機能があるウェアは、例えば、スケート、水泳等として最適である。
【実施例１】
【００９３】
図３乃至図９は本発明の実施例１を説明するものであり、実施例１は外旋、内旋機能、回外、回内機能、並びに外旋機能と回外機能を併せ持つスポーツ用シャツ、内旋機能と回内機能を併せ持つスポーツ用シャツ、をそれぞれ示している。
【００９４】
而して、図３ａは、外旋機能を持たせたスポーツ用シャツの前面側を示す正面図、図３ｂは該スポーツ用シャツの背面側を示す背面図、図３ｃは右側面図、図３ｄは左側面図をそれぞれ示している。
【００９５】
図４ａは、内旋機能を持たせたスポーツ用シャツの前面側を示す正面図、図４ｂは該スポーツ用シャツの背面側を示す背面図、図４ｃは右側面図、図４ｄは左側面図をそれぞれ示している。
【００９６】
図５ａは、回外機能を持たせたスポーツ用シャツの前面側を示す正面図、図５ｂは該スポーツ用シャツの背面側を示す背面図、図５ｃは右側面図、図５ｄは左側面図をそれぞれ示している。
【００９７】
図６ａは、回内機能を持たせたスポーツ用シャツの前面側を示す正面図、図６ｂは該スポーツ用シャツの背面側を示す背面図、図６ｃは右側面図、図６ｄは左側面図をそれぞれ示している。
【００９８】
更に、図７ａは、外旋機能と回外機能を併せ持つスポーツ用シャツの前面側を示す正面図、図７ｂは該スポーツ用シャツの背面側を示す背面図、図７ｃは右側面図、図７ｄは左側面図をそれぞれ示している。
【００９９】
更にまた、図８ａは、内旋機能と回内機能を併せ持つスポーツ用シャツの前面側を示す正面図、図８ｂは該スポーツ用シャツの背面側を示す背面図、図８ｃは右側面図、図８ｄは左側面図をそれぞれ示している。
尚、前記図３乃至図８は、それぞれに人が当該スポーツ用シャツを着用した際の状態を、人を省略した形で示している。
【０１００】
また、図９ａ、図９ｂは、本発明が実施されるスポーツ用シャツの形状例を示す説明図である。
更に図１０及び図１１は、本発明のメカニズムを説明するものであって、図１０ａは該スポーツ用シャツの前面側を示す正面図、図１０ｂは該シャツの後面を示す背面図、図１０ｃ、図１０ｄは図１０ａ、図１０ｂの部分拡大説明図である。
【０１０１】
そして、更に図１１ａは該スポーツ用シャツの前面側を示す正面図、図１１ｂは該シャツの後面を示す背面図、図１１ｃ、図１１ｄは図１１ａ、図１１ｂの部分拡大説明図をそれぞれ示している。である。
尚、図９乃至図１１の説明図は人が当該スポーツ用シャツを着用した際の状態を、人を省略した形で示している。
【０１０２】
そして、前記、図１０ｃ、図１０ｄ、図１１ｃ、図１１ｄは、それぞれ対応する図１０ａ、図１０ｂ、図１１ａ、図１１ｂの部分拡大説明図で、人体に生じる力の方向をそれぞれ示している。
【０１０３】
斯くして、図３及び図１１において、同一構成要素は同一符号にて示しており、１は本発明のスポーツ用シャツを示し、２は本発明のスポーツ用シャツ１を具体的に形状化した上衣を示している。そして、上衣２は、身頃部３と腕部４に分かれており、該身頃部３と腕部４は固着部５にて、縫着されて上衣２を形成している。本発明において、身頃部３は伸縮性のある生地、または伸縮性のない生地にて構成されている。
【０１０４】
本発明の身頃部の首回り部６またはその下端胴回り部７或いは腕部４の袖部下端８、または長袖型にあっては手首部９の何れか、またはそれらの複数位置またはそれらの全て、或いは身頃部３または腕部４の表側或いは肌側に、シリコンを塗布したテープを設けるなど、或いは、外側にベルトを設けるなどの滑り止め機能１０を形成すると、上衣２の滑り止めとなるので、本発明の効果としての外旋、内旋機能、または回外、回内機能はより一層発揮される。
【０１０５】
更に、前記身頃部３の胸部または背部の上部の何れか、または双方に、ずれ上がり防止用のストレッチ部１１を形成することにより、本発明の効果としての外旋、内旋機能、または回外、回内機能はより一層発揮される。
【０１０６】
また、上衣２を構成する腕部４は、図５ａ、図６ａ、図７ａ等において、上腕部１２と前腕部１３から成る。前記上腕部１２と前腕部１３から成る腕部４の生地は、４０％と強い伸度（緊締力が大きい）を有したストレッチ生地素材から構成され、該生地をスパイラル状に裁断して複数枚の裁断片１４ａ、１４ｂ、１４ｃ・・・（裁ち目を正布位置として長手方向とった裁断片、所謂バイアスにとった）を形成しており、該裁断片１４ａ、１４ｂ、１４ｃ・・・は、首部近傍１５から肩部１６を経由して腋下部１７と肘部１８を通り、肘部近傍１９までを覆う構成としたり、該肘部近傍１９から延びて、手首近傍２０までを覆う構成を有するものである。
【０１０７】
そして前記腕部４を構成する裁断片１４ａ、１４ｂ、１４ｃ・・・は、それぞれ裁ち目を正布位置として長手方向にとった裁断片で、該長手方向に強い伸度（緊締力が大きい）を有したストレッチ部２１ａ、２１ｂ、２１ｃ・・・を形成している。
【０１０８】
尚、前記裁断片１４ａ、１４ｂ、１４ｃ・・・は、例えば、ナイロンとポリウレタンとの交編にて形成され、腕部４全体を被覆する構成で、該裁断片１４ａ、１４ｂ、１４ｃ・・・のストレッチ生地素材の伸度は、生地自体としては、ＪＩＳ  Ｌ  １０１８のＢ法（定荷重法）にて、０．５Ｋｇ荷重時の伸長率が１０〜６０％の範囲内で（本例では４０％）、また該上衣２の着用時には腕部４で、２０〜６０％の範囲内となるように設定されている。
【０１０９】
斯くして、本発明の実施例１においては、図３ａ乃至図３ｃに示す如く、身頃部３と腕部４とから成る上衣２であって、前記腕部４の構成は、首部近傍１５から肩部１６を経由し腋下部１７と肘部１８との略中間位置Ｓ、乃至肘部近傍１９に至るまでの間を、スパイラル状に裁断され裁ち目を正布位置として長手方向にとった複数の裁断片１４ａ、１４ｂ、１４ｃ・・・から成り、該複数の裁断片１４ａ、１４ｂ、１４ｃ・・・は、全体を強い伸度を有するストレッチ生地素材によりストレッチ部を形成し、該ストレッチ部２１ａ、２１ｂ、２１ｃ・・・を形成する複数の裁断片１４ａ、１４ｂ、１４ｃ・・・を腕部４の外側から内側に向け斜め下方に捲回し、該各裁断片１４ａ、１４ｂ、１４ｃ・・・を互いに縫着し腕部４を一体化したのち前記身頃部３と縫着して上肢（腕部４）に外旋機能を持つスポーツ用シャツ１を一体的に製作している。
【０１１０】
また、本発明の実施例１においては、図４ａ乃至図４ｃに示す如く、身頃部３と腕部４とから成る上衣２であって、前記腕部４は、首部近傍１５から肩部１６を経由し腋下部１７と肘部１８との略中間位置Ｓ、乃至肘部近傍１９に至るまでの間を、スパイラル状に裁断され裁ち目を正布位置として長手方向にとった複数の裁断片１４ａ、１４ｂ、１４ｃ・・・から成り、該複数の裁断片１４ａ、１４ｂ、１４ｃ・・・は、全体を強い伸度を有するストレッチ生地素材によりストレッチ部を形成し、該ストレッチ部２１ａ、２１ｂ、２１ｃ・・・を形成する複数の裁断片１４ａ、１４ｂ、１４ｃ・・・を腕部４内側から外側に向け斜め下方に捲回し、該各裁断片１４ａ、１４ｂ、１４ｃ・・・を互いに縫着し腕部４を一体化したのち前記身頃部３と縫着して上肢（腕部４）に内旋機能を持つスポーツ用シャツ１を一体的に製作している。
【０１１１】
また、本発明の実施例１においては、図５ａ乃至図５ｃに示す如く、
身頃部３と腕部４とから成る上衣２であって、前記腕部４は、腋下部１７と肘部１８との略中間位置Ｓ、乃至肘部近傍１９から手首近傍２０に至るまでの間を、スパイラル状に裁断され裁ち目を正布位置として長手方向にとった複数の裁断片１４ａ、１４ｂ、１４ｃ・・・から成り、該複数の裁断片１４ａ、１４ｂ、１４ｃ・・・は、全体を強い伸度を有するストレッチ生地素材によりストレッチ部２１ａ、２１ｂ、２１ｃ・・・を形成し、該ストレッチ部を形成する複数の裁断片１４ａ、１４ｂ、１４ｃ・・・を腕部４の外側から内側に向け斜め下方に捲回し、
該各裁断片１４ａ、１４ｂ、１４ｃ・・・を互いに縫着し腕部４を一体化したのち前記身頃部３と縫着して上肢（腕部４）の前腕１３に回外機能を持つスポーツ用シャツ１を一体的に製作している。
【０１１２】
また、本発明の実施例１においては、図６ａ乃至図６ｃに示す如く、
身頃部３と腕部４とから成る上衣２であって、前記腕部４は、腋下部１７と肘部１８との略中間位置乃至肘部近傍１９から手首近傍２０に至るまでの間を、スパイラル状に裁断され裁ち目を正布位置として長手方向にとった複数の裁断片１４ａ、１４ｂ、１４ｃ・・・から成り、該複数の裁断片１４ａ、１４ｂ、１４ｃ・・・は、全体を強い伸度を有するストレッチ生地素材によりストレッチ部を形成し、該ストレッチ部２１ａ、２１ｂ、２１ｃ・・・を形成する複数の裁断片１４ａ、１４ｂ、１４ｃ・・・を腕部内側から外側に向け斜め下方に捲回し、該各裁断片１４ａ、１４ｂ、１４ｃ・・・を互いに縫着し腕部を一体化したのち前記身頃部と縫着して上肢（腕部４）の前腕１３に回内機能を持つスポーツ用シャツ１を一体的に製作している。
【０１１３】
更に、本発明の実施例１においては、図７ａ乃至図７ｃに示す如く、
身頃部３と腕部４とから成る上衣２であって、前記腕部４は、首部近傍１５から肩部１６、並びに肘部１８を経由して手首近傍２０に至るまでの間を、スパイラル状に裁断され裁ち目を正布位置として長手方向にとった複数の裁断片１４ａ、１４ｂ、１４ｃ・・・から成り、該複数の裁断片１４ａ、１４ｂ、１４ｃ・・・は、全体を強い伸度を有するストレッチ生地素材によりストレッチ部２１ａ、２１ｂ、２１ｃ・・・を形成し、該ストレッチ部２１ａ、２１ｂ、２１ｃ・・・を形成する複数の裁断片１４ａ、１４ｂ、１４ｃ・・・を腕部４外側から内側に向け斜め下方に捲回し、前記各裁断片１４ａ、１４ｂ、１４ｃ・・・を互いに縫着し腕部４を一体化したのち前記身頃部３と縫着して上肢（腕部４）に外旋機能、並びに回外機能を持つスポーツ用シャツ１を一体的に製作している。
【０１１４】
更にまた、本発明の実施例１においては、図８ａ乃至図８ｃに示す如く、身頃部３と腕部４とから成る上衣２であって、前記腕部４は、首部近傍１５から肩部１６、並びに肘部１８を経由して手首近傍２０に至るまでの間を、スパイラル状に裁断され裁ち目を正布位置として長手方向にとった複数の裁断片１４ａ、１４ｂ、１４ｃ・・・から成り、該複数の裁断片１４ａ、１４ｂ、１４ｃ・・・は、全体を強い伸度を有するストレッチ生地素材によりストレッチ部２１ａ、２１ｂ、２１ｃ・・・を形成し、該ストレッチ部２１ａ、２１ｂ、２１ｃ・・・を形成する複数の裁断片１４ａ、１４ｂ、１４ｃ・・・を腕部４の内側から外側に向け斜め下方に捲回し、前記各裁断片１４ａ、１４ｂ、１４ｃ・・・を互いに縫着し腕部４を一体化したのち前記身頃部３と縫着して上肢（腕部４）に内旋機能、並びに回内機能を持つスポーツ用シャツ１を一体的に製作している。
【０１１５】
斯くして、本発明の実施例１は、前記身頃部３と腕部４とから成る上衣２において、該身頃部３は伸縮性のある生地にて適宜構成している。    
【０１１６】
本発明においては、上衣２全体或いは腕部４のみを交編、または交織にて一体形成するにあたり、腕部４のストレッチ部２１ａ、２１ｂ、２１ｃ・・・を形成するには、該腕部４のストレッチ部２１ａ、２１ｂ、２１ｃ・・・を切り替えし、または編み組織の変化により連続的に一体形成されるよう構成した。
【０１１７】
また、前記身頃部３と腕部４とから成る上衣２において、該腕部４を構成する裁断片１４ａ、１４ｂ、１４ｃ・・・のストレッチ部２１ａ、２１ｂ、２１ｃ・・・中の適宜位置において、該各々の裁断片１４ａ、１４ｂ、１４ｃ・・・の固着位置に縫合部を積極的に形成することによって、各裁断片１４ａ、１４ｂ、１４ｃ・・・の特定位置の伸度を可変とすることが可能である。
【０１１８】
更に、前記身頃部３と腕部４とから成る上衣２において、ストレッチ生地素材から成る前記腕部４が一体形成された後に、該腕部４におけるストレッチ部２１ａ、２１ｂ、２１ｃ・・・の表面または裏面の少なくとも一部に、更に同一の、または異なる他のストレッチ生地素材からなる帯状、またはテープ状のストレッチ生地を固着することでも、各裁断片１４ａ、１４ｂ、１４ｃ・・・の特定位置の伸度を可変とすることが可能である。
【０１１９】
そして、前記身頃部３と腕部４とから成る上衣２において、該腕部４のストレッチ部２１ａ、２１ｂ、２１ｃ・・・を構成する強い伸度を有するストレッチ生地の伸長率が、生地としては１０〜６０％の範囲内であること、また該上衣２の着用時には２０〜６０％の範囲内となるように設定されている。
【０１２０】
そして、また、前記身頃部３と腕部４とから成る上衣２において、該腕部４のストレッチ部２１ａ、２１ｂ、２１ｃ・・・を構成する強い伸度を有するストレッチ生地の伸長率は、生地としては１０〜６０％の範囲内で設定されており、また該上衣２の着用時には２０〜６０％の範囲内での強弱を有することや、前記身頃部３が伸縮性のある素材から成り、伸長率が２０から１５０％の範囲内であることが設定されている。
【０１２１】
また、本発明の実施例１は、図９ａ、図９ｂに示すようなスポーツ用シャツの形状例にて、実施される。
即ち、図９ａは、上衣２の腕部４の袖部端部８が、肘部１８にかかる半袖型２２タイプ、そして、図９ｂに示される手首近傍２０で終わる長袖型２３タイプなどの体裁を呈しているスポーツ用シャツである。
【０１２２】
そして、前記、上衣２のそれぞれの形状における実施例１は、上述の外旋、内旋、または回外、回内の機能乃至メカニズムの結果として、機能を発揮でき、例えば、外旋機能や回外機能のあるスポーツ用シャツは、野球、テニス、バトミントン、ゴルフ等として最適であり、また、内旋機能や回内機能があるスポーツ用シャツは、スケート、水泳等として最適である。
【０１２３】
次に、本発明の実施例１において、前記スポーツ用シャツ１が、特に野球、テニス、バトミントン、ゴルフ等に対して、その外旋機能や回外機能が発揮できるメカニズムを図１０ａ乃至図１０ｄに基づいて説明する。
【０１２４】
図１０ａはスポーツ用シャツ１の前面側を示したものであり、腕部４の構成は、首部近傍１５から肩部１６、並びに肘部近傍１９を経由して手首近傍２０に至るまでの間を、スパイラル状に裁断され裁ち目を正布位置として長手方向にとった複数の裁断片１４ａ、１４ｂ、１４ｃ・・・から成り、該複数の裁断片１４ａ、１４ｂ、１４ｃ・・・は、全体を強い伸度を有するストレッチ生地素材により構成してストレッチ部２１ａ、２１ｂ、２１ｃ・・・を形成している。
【０１２５】
而して、上衣２の腕部４は、着用時に生地は伸ばされ、着用中には、部位や体型にもよるが、生地に対し２０％〜６０％伸ばされた状態で着用するため、生地には元に戻ろうとする力が働く。
【０１２６】
伸度の強いストレッチ生地素材からなる腕部４の裁断片１４ａ、１４ｂ、１４ｃ・・・から成るストレッチ部２１ａ、２１ｂ、２１ｃ・・・を着用者の前面側から見える図１０ａのＡ点部またはＢ点部にて、腕部４として考察すると、ストレッチ部２１ｂ、２１ｂは、外旋機能部のＡ点部においては、生地が元に戻ろうとする力Ｐ（Ａ点部においては斜め下方の矢符）が働き、同時にその水平方向成分Ｐ１と垂直方向成分Ｐ２とに分解される。この事はＢ点部においても同様である。
【０１２７】
上記外旋機能部のＡ点部、そして回外機構部のＢ点部においては、生地が元に戻ろうとする力Ｐは、人体においては、Ｐに対する反力ＰＡ（Ａ点部及びＢ点部においては斜め上方の矢符）として生じる（元に戻ろうとする力ＰとＰＡとは反対方向に同じ大きさとして働くので、力のバランスが保たれている。図１０ｃ）。
そして前記スポーツ用シャツの場合と同様、Ｐに対する反力として人体に生じる力ＰＡは、その水平方向成分Ｐ１ａと垂直方向成分Ｐ２ａとに分解される。
この現象は、シャツと人体とが極めて密に接しているために（別の表現で言えば、ストレッチ部２１ａ、２１ｂ、２１ｃ・・・が人体を強く押圧しているために）着用中に於いては、ストレッチ部２１ｂ、２１ｄ自体に、着用時の伸び方向とは反対方向へ復帰しようとする力Ｐが、その反力ＰＡ（反対方向への力）として人体に生じることから生じるものである。
【０１２８】
また同じく、図１０ｂに示すシャツ背面側のＣ点部またはＤ点部に於いては、生地が元に戻ろうとする力Ｐ（Ｃ点部及びＤ点部において斜め下方の矢符）が働き、同時にその水平方向成分Ｐ１と垂直方向成分Ｐ２とに分解される。
前記同様、この表われ方も、着用時の方向をＣ点部乃至Ｄ点部にて、スポーツ用シャツとして考察した場合のことである。
即ち、該シャツ着用中の、人体に生じる力の問題としては、この着用時のシャツとしての方向とは全く逆に、Ｐ１ａ（水平方向成分）は水平に内側に働き、Ｐ２ａ（垂直方向成分）は上方に押し上げるよう働き、生地が元に戻ろうとする力Ｐに対する反力として人体に生じる力ＰＡは常にＣ点部及びＤ点部を矢符の斜め上方に引っ張っているのである（図１０ｂ及び１０ｃ）。この根拠となるのも前記と全く同様にストレッチ部２１ａ、２１ｂ、２１ｃ・・・が有する反力（反対方向への力）として人体に生じる結果である。そして、人体の水平方向に働く力たる水平方向成分Ｐ１は、人体の前面に廻ると人体外側に働く外旋機能（上腕部で）や回外機能（前腕部で）として作用する。
【０１２９】
上記と同じく、図１１ａ、図１１ｂの両側面に於いても、スポーツ用シャツとしてのメカニズム、人体に生じるメカニズム、は全く同様である（前述の説明で理解できるため敢えて詳説はしない）。尚、図１１ａ、図１１ｂの場合は、内旋、回内機能を示している。
【０１３０】
以上、要するに、スポーツ用シャツ１のストレッチ部２１ａ、２１ｂ、２１ｃ・・・を構成する力の働き方向は、シャツとしての方向と、反作用としての人体における方向とでは異なるものであり、主としてストレッチ生地素材が元に戻ろうとする力Ｐ（及びＰに対する反力として人体に生じる力ＰＡ）、また外側への力（前へ廻り込めば外側に働く）、が、人体の上腕部で外旋機能果たし、前腕部で回外機能を果したり、内旋機能や回内機能を果たすことになるのである。
【実施例２】
【０１３１】
図１２乃至図１７は本発明の実施例２を説明するものであり、実施例２は外旋、内旋機能、回外、回内機能、並びに外旋機能と回外機能を併せ持つスポーツ用シャツ、内旋機能と回内機能を併せ持つスポーツ用シャツ、をそれぞれ示している。
【０１３２】
而して、図１２ａは、上腕部１２に外旋機能を持たせたスポーツ用シャツの前面側を示す正面図、図１２ｂは該スポーツ用シャツの背面側を示す背面図、図１２ｃは右側面図、図３ｄは左側面図をそれぞれ示している。
【０１３３】
図１３ａは、上腕部に内旋機能を持たせたスポーツ用シャツの前面側を示す正面図、図１３ｂは該スポーツ用シャツの背面側を示す背面図、図１３ｃは右側面図、図１３ｄは左側面図をそれぞれ示している。
【０１３４】
図１４ａは、前腕１３に回外機能を持たせたスポーツ用シャツの前面側を示す正面図、図１４ｂは該スポーツ用シャツの背面側を示す背面図、図１４ｃは右側面図、図１４ｄは左側面図をそれぞれ示している。
【０１３５】
図１５ａは、前腕１３に回内機能を持たせたスポーツ用シャツの前面側を示す正面図、図１５ｂは該スポーツ用シャツの背面側を示す背面図、図１５ｃは右側面図、図１５ｄは左側面図をそれぞれ示している。
【０１３６】
更に、図１６ａは、上腕部１２に外旋機能と前腕１３回外機能を併せ持つスポーツ用シャツの前面側を示す正面図、図１６ｂは該スポーツ用シャツの背面側を示す背面図、図１６ｃは右側面図、図１６ｄは左側面図をそれぞれ示している。
【０１３７】
更にまた、図１７ａは、上腕部１２に内旋機能と前腕１３に回内機能を併せ持つスポーツ用シャツの前面側を示す正面図、図１７ｂは該スポーツ用シャツの背面側を示す背面図、図１７ｃは右側面図、図１７ｄは左側面図をそれぞれ示している。
尚、前記図１２乃至図１７は、それぞれに人が当該スポーツ用シャツを着用した際の状態を、人を省略した形で示している。
【０１３８】
また、図１８及び図１９は、本発明のメカニズムを説明するものであって、図１８ａは該スポーツ用シャツの前面側を示す正面図、図１８ｂは該シャツの後面を示す背面図、図１８ｃ、図１８ｄはそれぞれ図１８ａ、図１０ｂの部分拡大説明図である。
【０１３９】
そして、更に図１９ａは該スポーツ用シャツの前面側を示す正面図、図１９ｂは該シャツの後面を示す背面図、図１９ｃ、図１９ｄはそれぞれ図１９ａ、図１９ｂの部分拡大説明図をそれぞれ示している。
【０１４０】
而して、実施例２において、前記実施例１と同一符号は同一構成要素を示しており、本発明の実施例２においては、図１２ａ乃至図１２ｃに示す如く、身頃部３と腕部４とから成る上衣２であって、前記腕部４は、首部近傍１５から肩部１６を経由して腋下部１７と肘部１８との略中間位置Ｓ、乃至肘部近傍１９に至るまでの間を、スパイラル状に裁断され裁ち目を正布位置として長手方向にとった複数の裁断片１４ａ、１４ｂ、１４ｃ・・・から成り、該複数の裁断片は、比較的弱い伸度を有するストレッチ生地素材から成る裁断片２４と、より強い伸度を有してストレッチ部を構成するストレッチ生地素材２５とから成る裁断片１４ａ、１４ｂ、１４ｃ・・・とを配列して腕部４外側から内側に向け斜め下方に捲回し、該各裁断片１４ａ、１４ｂ、１４ｃ・・・を互いに縫着し腕部４を一体化したのち前記身頃部３と縫着して上肢（腕部４）に外旋機能を持つスポーツ用シャツ１を一体的に製作している。
【０１４１】
本発明の実施例２においては、図１３ａ乃至図１３ｃに示す如く、身頃部３と腕部４とから成る上衣２であって、前記腕部４は、首部近傍１５から肩部１６を経由して腋下部１７と肘部１８との略中間位置Ｓ、乃至肘部近傍１９に至るまでの間を、スパイラル状に裁断され裁ち目を正布位置として長手方向にとった複数の裁断片１４ａ、１４ｂ、１４ｃ・・・から成り、該複数の裁断片は、比較的弱い伸度を有するストレッチ生地素材２４から成る裁断片と、より強い伸度を有してストレッチ部を構成するストレッチ生地素材２５とから成る裁断片１４ａ、１４ｂ、１４ｃ・・・とを配列して腕部４の内側から外側に向け斜め下方に捲回し、
該各裁断片１４ａ、１４ｂ、１４ｃ・・・を互いに縫着し腕部４を一体化したのち前記身頃部３と縫着して上肢（腕部４）に内旋機能を持つスポーツ用シャツ１を一体的に製作している。
【０１４２】
また、本発明の実施例２においては、図１４ａ乃至図１４ｃに示す如く、身頃部３と腕部４とから成る上衣２であって、前記腕部４は、腋下部１７と肘部１８との略中間位置Ｓ，乃至肘部近傍１９から手首近傍２０に至るまでの間を、スパイラル状に裁断され裁ち目を正布位置として長手方向にとった複数の裁断片１４ａ、１４ｂ、１４ｃ・・・から成り、該複数の裁断片は、比較的弱い伸度を有するストレッチ生地素材２４から成る裁断片と、より強い伸度を有してストレッチ部を構成するストレッチ生地素材２５とから成る裁断片１４ａ、１４ｂ、１４ｃ・・・とを配列して腕部４の外側から内側に向け斜め下方に捲回し、該各裁断片１４ａ、１４ｂ、１４ｃ・・・を互いに縫着し腕部４を一体化したのち前記身頃部３と縫着して上肢の前腕１３に回外機能を持つスポーツ用シャツ１を一体的に製作している。
【０１４３】
また、本発明の実施例２においては、図１５ａ乃至図１５ｃに示す如く、
身頃部３と腕部４とから成る上衣２であって、前記腕部３は、腋下部１７と肘部１８との略中間位置Ｓ、乃至肘部近傍１９から手首近傍２０に至るまでの間を、スパイラル状に裁断され裁ち目を正布位置として長手方向にとった複数の裁断片１４ａ、１４ｂ、１４ｃ・・・から成り、該複数の裁断片は、比較的弱い伸度を有するストレッチ生地素材２４から成る裁断片と、より強い伸度を有してストレッチ部を構成するストレッチ生地素材２５から成る裁断片１４ａ、１４ｂ、１４ｃ・・・とを配列して腕部４の内側から外側に向け斜め下方に捲回し、該各裁断片１４ａ、１４ｂ、１４ｃ・・・を互いに縫着し腕部４を一体化したのち前記身頃部３と縫着して上肢の前腕１３に回内機能を持つスポーツ用シャツ１を一体的に製作している。
【０１４４】
更に、本発明の実施例２においては、図１６ａ乃至図１６ｃに示す如く、身頃部３と腕部４とから成る上衣２であって、前記腕部４は、首部近傍１５から肩部１６、並びに肘部１８を経由して手首近傍２０に至るまでの間を、スパイラル状に裁断され裁ち目を正布位置として長手方向にとった複数の裁断片１４ａ、１４ｂ、１４ｃ・・・から成り、該複数の裁断片は、比較的弱い伸度を有するストレッチ生地素材２４から成る裁断片と、より強い伸度を有してストレッチ部を構成するストレッチ生地素材２５とから成る裁断片１４ａ、１４ｂ、１４ｃ・・・とを配列して腕部４の外側から内側に向け斜め下方に捲回し、前記各裁断片１４ａ、１４ｂ、１４ｃ・・・を互いに縫着し腕部４を一体化したのち前記身頃部３と縫着して上肢（腕部４）に外旋機能、並びに回外機能を持つスポーツ用シャツ１を一体的に製作している。
【０１４５】
更にまた、本発明の実施例２においては、図１７ａ乃至図１７ｃに示す如く、身頃部３と腕部４とから成る上衣２であって、前記腕部４は、首部近傍１５から肩部１６、並びに肘部１８を経由して手首近傍２０に至るまでの間を、スパイラル状に裁断され裁ち目を正布位置として長手方向にとった複数の裁断片１４ａ、１４ｂ、１４ｃ・・・から成り、該複数の裁断片は、比較的弱い伸度を有するストレッチ生地素材２４から成る裁断片と、より強い伸度を有してストレッチ部を構成するストレッチ生地素材２５とから成る裁断片１４ａ、１４ｂ、１４ｃ・・・とを配列して腕部４内側から外側に向け斜め下方に捲回し、前記各裁断片１４ａ、１４ｂ、１４ｃ・・・を互いに縫着し腕部を一体化したのち前記身頃部と縫着して上肢に内旋機能、並びに回内機能を持たせたこと、上肢（腕部４）に内旋機能、並びに回内機能を持つスポーツ用シャツ１を一体的に製作している
【０１４６】
斯くして、本発明の実施例２は、前記比較的弱い伸度を有するストレッチ生地素材２４と、より強い伸度を有するストレッチ部から成るストレッチ生地素材２５とで構成された複数の裁断片１４ａ、１４ｂ、１４ｃ・・・から成る腕部３は、上肢（腕部４）外側から内側に向け斜め下方に捲回する構成や、或いは、上肢（腕部４内側から外側に向け斜め下方に捲回する構成にて形成され、そのうち、より強い伸度を有するストレッチ部２５は、前記腕部４の上腕部１２、または、前腕１３に各々少なくとも一カ所ずつ形成されていることが、重要な構成である。
【０１４７】
尚、前記身頃部３と腕部４とから成る上衣２おいて、該上衣２全体或いは腕部４のみを交編、または交織にて一体形成するにあたり、腕部４のストレッチ部を形成するには、該腕部４のストレッチ部（比較的弱い伸度を有するストレッチ生地素材２４から成る裁断片と、より強い伸度を有してストレッチ部を構成するストレッチ生地素材２５とから成る）を切り替えし、または編み組織の変化により連続的に一体形成されることも可能である。
【０１４８】
また、前記身頃部３と腕部４とから成る上衣２において、該腕部４を構成する裁断片のストレッチ部内の適宜位置において、該各々の裁断片固着位置に縫合部を積極的に形成することによって、各裁断片の特定位置の伸度を可変とすることもできる。
【０１４９】
更には、前記身頃部３と腕部４とから成る上衣２において、ストレッチ生地素材から成る前記腕部が一体形成された後に、該腕部におけるストレッチ部の表面または裏面の少なくとも一部に、更に同一の、または異なる他のストレッチ生地素材からなる帯状、またはテープ状のストレッチ生地を固着することで、各裁断片の特定位置の伸度を可変とすることもできる。
【０１５０】
斯くして、前記身頃部３と腕部４とから成る上衣２において、該腕部４のストレッチ部を構成する強い伸度を有するストレッチ生地の伸長率は、生地としては１０〜６０％の範囲内であること、また該上衣の着用時には２０〜６０％の範囲内となるように設定されている。
【０１５１】
また、前記身頃部３と腕部４とから成る上衣２において、該腕部４のストレッチ部を構成する強い伸度を有するストレッチ生地の伸長率は、生地としては１０〜６０％の範囲内での、また該上衣の着用時には２０〜６０％の範囲内での強弱を有している。
【０１５２】
また、前記身頃部３が伸縮性のある素材から成り、伸長率が２０から１５０％の範囲内に設定されている。
【０１５３】
そして、前記腕部４の比較的弱い伸度を有するストレッチ生地素材の伸長率は身頃部３の伸長率と略同一であるか、または、２０から１２０％の範囲内であることを特徴としている。
【０１５４】
而して、前記身頃部３と腕４部とから成る上衣２において、該上衣２の袖下端位置が、肘部１８にかかる半袖型、手首近傍２０で終わる長袖型などの体裁を呈すること、前記身頃部３の首回り部６またはその下端７或いは腕部の袖部下端８の何れか、またはそれらの複数位置またはそれらの全て、或いは身頃部または腕部の表側或いは肌側に、滑り止め機能を形成したことは、前記実施例と同様である。
【０１５５】
尚、身頃部３の胸部または背部の上部の何れか、または双方に、ずれ上がり防止用のストレッチ部を形成し、機能を十分に発揮できるようにしていることも実施例１と同様である。
【０１５６】
そして、前記、上衣２のそれぞれの形状における実施例２は、上述の外旋、内旋、または回外、回内の機能乃至メカニズムの結果として、機能を発揮でき、例えば、外旋機能や回外機能のあるスポーツ用シャツは、野球、テニス、バトミントン、ゴルフ等として最適であり、また、内旋機能や回内機能があるスポーツ用シャツは、スケート、水泳等として最適である。
【０１５７】
また、本発明の実施例２において、前記スポーツ用シャツ１が、特に野球、テニス、バトミントン、ゴルフ等に対して、その外旋機能や回外機能が発揮できるメカニズムは、前記図１０及び図１１の説明と全く同様であることから省略する（図１８及び図１９）。
【０１５８】
斯くして、本発明の実施例１及び２の応用例は、例えば、左腕部または右腕部の一方に、外旋または回外、または、外旋及び回外機能を持たせ、他の一方には、内旋または回内、または内旋及び回内機能を持たせた構成とすること、或いは
左腕部または右腕部の一方には、外旋または回外、または、内旋または回内機能、或いは、外旋及び回外機能または内旋及び回内機能を持たせ、
他の一方には、これらの何れの機能も持たせない構成とすることも可能である。
【０１５９】
そして、上記応用例の構成は、外旋または内旋機能、並びに回外または回内機能そのものが極めて強く、人体上腕部に外旋または内旋機能が強く働くことや、前腕部において回外または回内機能が強く働くので、結果として、上腕や前腕の矯正なども可能となるばかりか、該上腕や前腕に係わる体型補正の効果も、極めて効率よく生じるものである。
【産業上の利用可能性】
【０１６０】
而して、本発明は、外旋機能、内旋機能、並びに回外機能、回内機能を持たせたスポーツ用シャツに関するものであり、特に本発明は、スポーツ用シャツやスポーツ用アンダーシャツの世界に於いては、従来は全く注目されていなかった外旋機能、内旋機能、及び回外、回内機能を持たせることにより、それぞれのスポーツにおける身体の動きに適応した運動のしやすいスポーツ用シャツやスポーツ用アンダーシャツを提供することが可能であって、その利用範囲も各種スポーツウェアやスポーツ用アンダーシャツに利用でき、更には、身体矯正用などのウェアとしても使われ得るのであって、産業上の利用価値は頗る大きい。
【図面の簡単な説明】
【０１６１】
【図１ａ】外旋機能の説明図である。
【図１ｂ】内旋機能の説明図である。
【図２ａ】回外機能の説明図である。
【図２ｂ】回内機能の説明図である（尚、図１ａ乃至図２ｂは、電脳体表解剖学          図譜−専門用語集−より抜粋。腕部の長軸Ｃを示す記号、中心線は、          理解を容易とするため出願人において挿入したものである）。
【図２ｃ】外転、内転機能の説明図である（「スポーツ・バイオメカニクス入門」          金子公宥著、２００１  より抜粋）
【図３ａ】本発明の実施例１を説明する正面図である。
【図３ｂ】本発明の実施例１を説明する背面図である。
【図３ｃ】本発明の実施例１を説明する右側面図である。
【図３ｄ】本発明の実施例１を説明する左側面図である。
【図４ａ】本発明の実施例１を説明する正面図である。
【図４ｂ】本発明の実施例１を説明する背面図である。
【図４ｃ】本発明の実施例１を説明する右側面図である。
【図４ｄ】本発明の実施例１を説明する左側面図である。
【図５ａ】本発明の実施例１を説明する正面図である。
【図５ｂ】本発明の実施例１を説明する背面図である。
【図５ｃ】本発明の実施例１を説明する右側面図である。
【図５ｄ】本発明の実施例１を説明する左側面図である。
【図６ａ】本発明の実施例１を説明する正面図である。
【図６ｂ】本発明の実施例１を説明する背面図である。
【図６ｃ】本発明の実施例１を説明する右側面図である。
【図６ｄ】本発明の実施例１を説明する左側面図である。
【図７ａ】本発明の実施例１を説明する正面図である。
【図７ｂ】本発明の実施例１を説明する背面図である。
【図７ｃ】本発明の実施例１を説明する右側面図である。
【図７ｄ】本発明の実施例１を説明する左側面図である。
【図８ａ】本発明の実施例１を説明する正面図である。
【図８ｂ】本発明の実施例１を説明する背面図である。
【図８ｃ】本発明の実施例１を説明する右側面図である。
【図８ｄ】本発明の実施例１を説明する左側面図である。
【図９ａ】本発明が実施されるスポーツ用シャツの形状例を示す説明図である。
【図９ｂ】本発明が実施されるスポーツ用シャツの形状例を示す説明図である。
【図１０ａ】実施例１のメカニズムを説明する正面図である。
【図１０ｂ】実施例１のメカニズムを説明する背面図である。
【図１０ｃ】実施例１のメカニズムを説明する拡大説明図である。
【図１０ｄ】実施例１のメカニズムを説明する拡大説明図である。
【図１１ａ】実施例１のメカニズムを説明する正面図である。
【図１１ｂ】実施例１のメカニズムを説明する背面図である。
【図１１ｃ】実施例１のメカニズムを説明する拡大説明図である。
【図１１ｄ】実施例１のメカニズムを説明する拡大説明図である。
【図１２ａ】本発明の実施例２を説明する正面図である。
【図１２ｂ】本発明の実施例２を説明する背面図である。
【図１２ｃ】本発明の実施例２を説明する右側面図である。
【図１２ｄ】本発明の実施例２を説明する左側面図である。
【図１３ａ】本発明の実施例２を説明する正面図である。
【図１３ｂ】本発明の実施例２を説明する背面図である。
【図１３ｃ】本発明の実施例２を説明する右側面図である。
【図１３ｄ】本発明の実施例２を説明する左側面図である。
【図１４ａ】本発明の実施例２を説明する正面図である。
【図１４ｂ】本発明の実施例２を説明する背面図である。
【図１４ｃ】本発明の実施例２を説明する右側面図である。
【図１４ｄ】本発明の実施例２を説明する左側面図である。
【図１５ａ】本発明の実施例２を説明する正面図である。
【図１５ｂ】本発明の実施例２を説明する背面図である。
【図１５ｃ】本発明の実施例２を説明する右側面図である。
【図１５ｄ】本発明の実施例２を説明する左側面図である。
【図１６ａ】本発明の実施例２を説明する正面図である。
【図１６ｂ】本発明の実施例２を説明する背面図である。
【図１６ｃ】本発明の実施例２を説明する右側面図である。
【図１６ｄ】本発明の実施例２を説明する左側面図である。
【図１７ａ】本発明の実施例２を説明する正面図である。
【図１７ｂ】本発明の実施例２を説明する背面図である。
【図１７ｃ】本発明の実施例２を説明する右側面図である。
【図１７ｄ】本発明の実施例２を説明する左側面図である。
【図１８ａ】実施例２のメカニズムを説明する正面図である。
【図１８ｂ】実施例２のメカニズムを説明する背面図である。
【図１８ｃ】実施例２のメカニズムを説明する拡大説明図である。
【図１８ｄ】実施例２のメカニズムを説明する拡大説明図である。
【図１９ａ】実施例２のメカニズムを説明する正面図である。
【図１９ｂ】実施例２のメカニズムを説明する背面図である。
【図１９ｃ】実施例２のメカニズムを説明する拡大説明図である。
【図１９ｄ】実施例２のメカニズムを説明する拡大説明図である。
【符号の説明】
【０１６２】
１  スポーツ用シャツ
２  上衣
３  身頃部
４  腕部
５  固着部
６  首回り部
７  下端胴回り部
８  袖部下端
９  手首部
１０  滑り止め
１１  ずれ上がり防止用のストレッチ部
１２  上腕部
１３  前腕
１４ａ、１４ｂ、１４ｃ・・・  裁断片
１５  首部近傍
１６  肩部
１７  腋下部
１８  肘部
１９  肘部近傍
２０  手首近傍
２１ａ、２１ｂ、２１ｃ・・・  ストレッチ部
２２  半袖型
２３  長袖型
２４  比較的弱い伸度を有するストレッチ生地素材
２５  より強い伸度を有してストレッチ部を構成するストレッチ生地素材
Ｃ    腕の長軸
Ｓ    腋下部と肘部との略中間位置
Ａ、Ｂ、Ｃ、Ｄ    考察点
Ｐ                生地が元に戻ろうとする力（張力）
Ｐ１              Ｐの水平方向成分
Ｐ２              Ｐの垂直方向成分
ＰＡ              Ｐに対する反力として人体に生じる力
Ｐ１ａ            ＰＡの水平方向成分
Ｐ２ｂ            ＰＡの垂直方向成分
【図１ａ】
2008169501.tif 000003
【図１ｂ】
2008169501.tif 000004
【図２ａ】
2008169501.tif 000005
【図２ｂ】
2008169501.tif 000006
【図２ｃ】
2008169501.tif 000007
【図３ａ】
2008169501.tif 000008
【図３ｂ】
2008169501.tif 000009
【図３ｃ】
2008169501.tif 000010
【図３ｄ】
2008169501.tif 000011
【図４ａ】
2008169501.tif 000012
【図４ｂ】
2008169501.tif 000013
【図４ｃ】
2008169501.tif 000014
【図４ｄ】
2008169501.tif 000015
【図５ａ】
2008169501.tif 000016
【図５ｂ】
2008169501.tif 000017
【図５ｃ】
2008169501.tif 000018
【図５ｄ】
2008169501.tif 000019
【図６ａ】
2008169501.tif 000020
【図６ｂ】
2008169501.tif 000021
【図６ｃ】
2008169501.tif 000022
【図６ｄ】
2008169501.tif 000023
【図７ａ】
2008169501.tif 000024
【図７ｂ】
2008169501.tif 000025
【図７ｃ】
2008169501.tif 000026
【図７ｄ】
2008169501.tif 000027
【図８ａ】
2008169501.tif 000028
【図８ｂ】
2008169501.tif 000029
【図８ｃ】
2008169501.tif 000030
【図８ｄ】
2008169501.tif 000031
【図９ａ】
2008169501.tif 000032
【図９ｂ】
2008169501.tif 000033
【図１０ａ】
2008169501.tif 000034
【図１０ｂ】
2008169501.tif 000035
【図１０ｃ】
2008169501.tif 000036
【図１０ｄ】
2008169501.tif 000037
【図１１ａ】
2008169501.tif 000038
【図１１ｂ】
2008169501.tif 000039
【図１１ｃ】
2008169501.tif 000040
【図１１ｄ】
2008169501.tif 000041
【図１２ａ】
2008169501.tif 000042
【図１２ｂ】
2008169501.tif 000043
【図１２ｃ】
2008169501.tif 000044
【図１２ｄ】
2008169501.tif 000045
【図１３ａ】
2008169501.tif 000046
【図１３ｂ】
2008169501.tif 000047
【図１３ｃ】
2008169501.tif 000048
【図１３ｄ】
2008169501.tif 000049
【図１４ａ】
2008169501.tif 000050
【図１４ｂ】
2008169501.tif 000051
【図１４ｃ】
2008169501.tif 000052
【図１４ｄ】
2008169501.tif 000053
【図１５ａ】
2008169501.tif 000054
【図１５ｂ】
2008169501.tif 000055
【図１５ｃ】
2008169501.tif 000056
【図１５ｄ】
2008169501.tif 000057
【図１６ａ】
2008169501.tif 000058
【図１６ｂ】
2008169501.tif 000059
【図１６ｃ】
2008169501.tif 000060
【図１６ｄ】
2008169501.tif 000061
【図１７ａ】
2008169501.tif 000062
【図１７ｂ】
2008169501.tif 000063
【図１７ｃ】
2008169501.tif 000064
【図１７ｄ】
2008169501.tif 000065
【図１８ａ】
2008169501.tif 000066
【図１８ｂ】
2008169501.tif 000067
【図１８ｃ】
2008169501.tif 000068
【図１８ｄ】
2008169501.tif 000069
【図１９ａ】
2008169501.tif 000070
【図１９ｂ】
2008169501.tif 000071
【図１９ｃ】
2008169501.tif 000072
【図１９ｄ】
2008169501.tif 000073